(57)【要約】【課題】  新規用紙対応時にデバイスのバージョンアップおよび処理変更を行わずして、容易にデバイス側の対応用紙種類の変更を行う。【解決手段】  最適な印字結果を得るための要因ごとにデバイス側の処理を変化させることが可能なファーム構成にして、ユーザ側からの要因を選択し、用紙種類の名称を新規追加することで、ホスト側のデータ作成側とデバイス側に用紙種類の新規追加と制御方法のカスタマイズが可能とする。【選択図】  図１
2006240227.tif 000002
【特許請求の範囲】
【請求項１】
メディア種選択が操作部からのユーザ選択する手段もしくはドライバー側からユーザ選択する手段を具備し、メディア種にあわせた画像処理手段を具備し、また、メディアの装着時にメディア種にあわせた装着手段を具備したインクジェット記録装置において、ファームウエアプログラムのバージョンアップすることなしに、ユーザ先固有のメディア種を追加することが可能であることを特徴とするインクジェット記録装置。
【請求項２】
ユーザ先固有のメディア種の名称登録が可能であることを特徴とする、請求項１記載のインクジェット記録装置。
【請求項３】
ユーザ先固有のメディア種にあわせた印字モードおよび用紙搬送などのパラメータを選択設定が可能であることを特徴とする、請求項１記載のインクジェット記録装置。
【発明の詳細な説明】
【技術分野】
【０００１】
本発明は、インクジェット画像装置に関するものであり、特に、多様な用紙に対して印字ができる装置の扱いについてである。
【背景技術】
【０００２】
従来のインクジェット画像装置での用紙対応は、そのメーカーが推奨する用紙での印字のみ保証されており、ユーザ先での用紙を使用するためには、さまざまな制限があり、また、印字も保証されることがなかった。
【０００３】
また、メーカーが推奨する用紙の種類は、一般的に普通紙、コート紙、ＣＡＤ系用紙が主であったが、最近、インクジェットのヘッド性能（高解像度）が向上してきたのとインク自身の耐光性の向上および色の再現能力が日々向上していくにつれて、用紙対応力（様々な用紙）が求められてきている。
【０００４】
多種用紙の対応を行うための大きな要素としては、
（１）通紙性：スムーズに用紙を送ることが不可欠であり、斜行やジャム等を発生させない機構が必要となり、多種用紙を想定すると、腰の弱い用紙の場合の特性と腰の強い用紙の場合の特性や用紙の厚さが厚い場合と薄い場合の特性を考慮しなければいけなくなる。
（２）インク吸収率：用紙によってインク吸収率が高いものもあれば低いものもあり、インクの打ち込み量の変化をさせるたり、マルチパス印字等の印字モードを考慮しなければいけなくなる。インク定着も考慮する必要がある。
（３）ロール紙巻き癖の扱い：用紙によっては、非常に強いカールがあったり、弱かったりするため、吸引ファンの制御等の考慮が必要となる。
の３つがあげられるが、実際には、さらにさまざまな要因が想定されるため、従来は、さまざまな制限がかけられていた。
【０００５】
そのような状況の中において多種用紙対応として、例えば、特許文献１のように用紙種類によってデバイス側の処理が確定されている機構において、ユーザが用紙の追加を行うために既に決められた用紙種類をユーザに選別してもらい用紙追加を実現させている手法が知られている。この手法の場合、すでに処理が確定されている用紙種類のいずれかに制御が確定されてしまうため最適な印字制御の実現に対しては、制限がかかってしまう。
【０００６】
また、特許文献２のようにＰＣとデバイスが離れたところでのリモート状態にて印刷するときに実際にデバイスの装着された用紙種類とＰＣ側からユーザが設定した用紙種類の種別違いを認識する手法が知られている。多種用紙対応のための最適な印字制御を実現できたとしてもこのようなエラー処理は必要となってくる。
【０００７】
また、多種用紙対応と目的は違うが、ユーザに紙種設定操作を不要にした、特許文献３が知られている。この手法は、用紙がレジストローラへ追突する時の圧力、用紙が給紙される時に給紙コロにかかる負荷の情報を用いて用紙特性を自動で判断し、その特性に対応したプロセス印刷条件を自動判定することを特徴としている。このような手法が進化していき多種用紙対応に利用できるように今後発展していくとよいと思われる。
【特許文献１】特登録３５１２０３０号
【特許文献２】特開２００１−３５８８９７号公報
【特許文献３】特開２００４−０６１７５５号公報
【発明の開示】
【発明が解決しようとする課題】
【０００８】
従来のインクジェット記録装置では、最適な印字を行うための用紙種類は限定されていた。
【０００９】
本発明は、多種の用紙を対応することを可能とすることと、ファームのアップデートを行うことなしにユーザ先にて用紙追加することを可能にすることが課題である。
【課題を解決するための手段】
【００１０】
本発明は、メディア種選択が操作部からのユーザ選択する手段もしくはドライバー側からユーザ選択する手段を具備し、メディア種にあわせた画像処理手段を具備し、また、メディアの装着時にメディア種にあわせた装着手段を具備したインクジェット記録装置において、ファームウエアプログラムのバージョンアップすることなしに、ユーザ先固有のメディア種を追加することが可能であることを特徴とするインクジェット記録装置である。
【００１１】
又、ユーザ先固有のメディア種の名称登録が可能であることを特徴とする、インクジェット記録装置である。
【００１２】
さらに、ユーザ先固有のメディア種にあわせた印字モードおよび用紙搬送などのパラメータを選択設定が可能であることを特徴とする、インクジェット記録装置である。
【発明の効果】
【００１３】
本発明によれば、多種の用紙に対応した印刷が可能となり、ユーザーハンドリングの高いインクジェット記録装置を提供できる。
【００１４】
さらに、環境によって用紙の特性の変化が発生してしまう場合があるが、その場合に、その用紙の特性のパラメータを変更することにより、多種環境においても最適な印刷が可能である。
【発明を実施するための最良の形態】
【００１５】
以下に本発明を実施するための最良の形態を説明する。なお、以下に説明する実施形態は説明のためのものであり、本願発明の範囲を制限するものではない。従って、当業者であればこれらの各要素もしくは全要素をこれと均等なものに置換した実施形態を採用することが可能であるが、これらの実施形態も本発明の範囲に含まれる。
【００１６】
（実施例）
図１は本発明のインクジェット記録装置の構成を示すブロック図である。図１中、１１は装置全体の動作を制御するＣＰＵ、１２はＣＰＵ１１の作業領域およびデータの一時記憶領域として利用されるＲＡＭである。１３はインクジェット記録装置を駆動するためのプログラムやデータが書き込まれているＦｌａｓｈメモリ（ＲＯＭ）であり、ＣＰＵ１１により使用される。１４は外部のコンピュータ端末装置等と接続するためのインタフェース部であり、これを介して画像データが転送されてくる。１５はマンマシンインタフェースのための表示を行うＬＣＤ表示装置、１６はインクジェット記録装置の各種設定を選択するためのキー操作部である。１７はインクジェットヘッドによる印字部、１８はＣＰＵ１１と他の各要素とを接続するシステムバスである。
【００１７】
図２は本発明のシステム構成を示す図である。ホスト（ＰＣ）側と本体（インクジェット記録装置）側のデバイス間にてメディアの名称、プロセス定数、メカ定数のダウンロード、アップロードが可能であり、ホスト側から本体側へメディア名称、プロセス定数、メカ定数を変更することが可能である。本発明においては、最大１２８種のメディアを登録可能としている。工場出荷時には、あらかじめ推奨用紙として３０メディアをプログラム領域に各種パラメータを持っているものを初期値としてＦｌａｓｈＲＯＭ領域に記憶させている。
【００１８】
図３は、実際のホストデバイス間のデータマップを示し、ヘッダー情報と用紙名称パラメータ、プロセス定数パラメータ、メカ定数パラメータの情報をダウンロード、アップロードすることを可能としている。
【００１９】
図４、図５、図６は、それぞれ用紙名称パラメータの内容。プロセス定数パラメータの内容。メカ定数パラメータの内容を示している。
【００２０】
本体側の制御は、プロセス定数、メカ定数のパラメータそれぞれについて制御できる形態をとっている。
【００２１】
また、プロセス定数とメカ定数のパラメータについては、本発明の実施形態においては、ホストからの指定以外にパネルからも設定可能にしている。
【００２２】
図７は、本発明で用いられるＦｌａｓｈＲＯＭのメモリ領域を示す図である。本発明で用いられるＦｌａｓｈＲＯＭのプログラム領域にはデフォルト値が存在し、工場出荷時にこのデフォルト値の情報をＭｅｄｉａ情報ＦｌａｓｈＲＯＭ１とＦｌａｓｈＲＯＭ２にコピーする。ＦｌａｓｈＲＯＭ１は、ホスト側からの登録（ダウンロード）が行われた場合のみ更新される。
【００２３】
電源投入時には、まず、Ｍｅｄｉａ情報ＦｌａｓｈＲＯＭ領域のヘッダー部分の確認を行ってエラーなら、プログラム領域のＭｅｄｉａ情報をＭｅｄｉａ情報ＦｌａｓｈＲＯＭへコピーする。つぎに、ＦｌａｓｈＲＯＭ２の情報をＲＡＭ上に展開し、パネル設定にて情報が更新されるとＲＡＭ上の情報のみを更新する。
【００２４】
電源ＯＦＦ時には、ＲＡＭ上の情報をＦｌａｓｈＲＯＭ２に記憶して電源ＯＦＦする。パネル設定値を初期化したい場合は、ＦｌａｓｈＲＯＭ１の情報をＦｌａｓｈＲＯＭ２にコピーすることで初期化することが可能である。なお、本体側からホスト側に用紙情報をアップロードする情報は、ＦｌａｓｈＲＯＭ２から獲得した情報をＲＡＭ上に展開されており、このＲＡＭ上の値を使用する。
【００２５】
次に、本発明での実際のアップロード、ダウンロード手順を説明する。
【００２６】
ホスト側からメディア情報（メディア名称、プロセス定数、メカ定数）を変更しようとしたときに、手順１として、本体側のメディア情報をホスト側は獲得する。本発明での実施にあたっては、ホスト側から本体側のステータス等の獲得のための問い合わせ手段としてＣＰＣＡ（Ｃｏｍｍｏｎ  Ｐｅｒｉｐｈｅｒａｌ  Ｃｏｎｔｒｏｌ  Ａｒｃｈｉｔｅｃｔｕｒｅ）という手法を利用して実現させた。ホスト側からデバイス側への問い合わせ手段があればＣＰＣＡである必要性は特にない。ホスト側にて本体側の情報獲得後、本体側のパラメータ状態をＤｅｆａｕｌｔとして表示させる（手順２）。つまり、ユーザは、基準紙として設定変更を行うメディアの種類を選択し、選択したメディアのＤｅｆａｕｌｔ値に対して変更を行う。印字モード、メカ定数値関係は、いずれかの基準紙の値となる。ユーザのパラメータ変更、名称登録、表示順番の設定等が終了したら手順３としてホスト側から本体側に変更のパラメータ一覧を通知（ダウンロード）する。本発明での実施にあたっては、画像データ等のＧＡＲＯ（Ｇｒａｐｈｉｃ  Ａｒｔｓ  ｌａｎｇｕａｇｅ  ｗｉｔｈ  Ｒａｓｔｅｒ  Ｏｐｅｒａｔｉｏｎ）フォーマットを利用してメディア情報のダウンロードコマンドを追加することにより実現させた。ホスト側からデバイス側へのデータ登録手段があればＧＡＲＯである必要性は特にない。
【図面の簡単な説明】
【００２７】
【図１】本発明によるインクジェット記録装置の構成例を示すブロック図である。
【図２】本発明のシステムの構成例である。
【図３】本発明のホストデバイス間データを示す図である。
【図４】本発明の用紙名称のパラメータを示す図である。
【図５】本発明のプロセス定数のパラメータを示す図である。
【図６】本発明のメカ定数のパラメータを示す図である。
【図７】本発明のＦｌａｓｈＲＯＭマップを示す図である。
【符号の説明】
【００２８】
１１  ＣＰＵ
１２  ＲＡＭ
１３  Ｆｌａｓｈメモリ
１５  ＬＣＤ
１６  Ｋｅｙ
【図１】
2006240227.tif 000003
【図２】
2006240227.tif 000004
【図３】
2006240227.tif 000005
【図４】
2006240227.tif 000006
【図５】
2006240227.tif 000007
【図６】
2006240227.tif 000008
【図７】
2006240227.tif 000009